(57)【要約】【課題】  複雑な金型等を用いること無く簡単な構成で操作ボタンを構成して、低コスト化と生産性の向上を図り、さらに、装置構造の薄型化を図ることで、電子機器の小型化や省資源化を実現できる電子機器の操作ボタン構造を提供する。【解決手段】  操作基板７上に配置された複数のタクトスイッチ８に対向して各々操作ボタン６を配置してボタン操作を行う電子機器の操作ボタン構造１０において、タクトスイッチ８と操作ボタン６との間にボタン取付プレート９を配置し、ボタン取付プレート９は、操作ボタン６を所定のタクトスイッチ８に対応して位置決めする操作ボタン位置決め機能と、ボタン操作による操作ボタン６の変位を弾性力により復元する操作ボタン復元機能とを備えていることを特徴とするものとする。【選択図】  図２
2007012307.tif 000002
【特許請求の範囲】
【請求項１】
回路基板上に配置された複数のスイッチ素子に対向して各々操作ボタンを配置してボタン操作を行う電子機器の操作ボタン構造において、
前記スイッチ素子と操作ボタンとの間に可撓性部材を配置し、
前記可撓性部材は、前記操作ボタンを所定のスイッチ素子に対応して位置決めする操作ボタン位置決め機能と、ボタン操作による前記操作ボタンの変位を弾性力により復元する操作ボタン復元機能とを備えていることを特徴とする電子機器の操作ボタン構造。
【請求項２】
前記可撓性部材は、前記操作ボタン位置決め機能として、前記スイッチ素子と操作ボタンとが対向する位置に該操作ボタンが嵌め合わされる操作ボタン嵌合部が形成されていることを特徴とする請求項１に記載の電子機器の操作ボタン構造。
【請求項３】
前記操作ボタン嵌合部は、前記操作ボタン嵌合部と対応する前記操作ボタンの嵌合部の形状と同一形状で形成されていることを特徴とする請求項２に記載の電子機器の操作ボタン構造。
【請求項４】
前記操作ボタン嵌合部と前記操作ボタンとは、着脱可能に嵌合されていることを特徴とする請求項２または３に記載の電子機器の操作ボタン構造。
【請求項５】
前記操作ボタン嵌合部は、それぞれの操作ボタンに対応して複数箇所に設けられていることを特徴とする請求項２，３または４に記載の電子機器の操作ボタン構造。
【請求項６】
前記可撓性部材は、ボタン操作時に発生する静電気をアースさせる機能を備えていることを特徴とする請求項１乃至５のうちの何れか一項に記載の電子機器の操作ボタン構造。
【請求項７】
前記可撓性部材は、ボタン操作時に発生する該静電気を遮断する機能を備えていることを特徴とする請求項１乃至５のうちの何れか一項に記載の電子機器の操作ボタン構造。
【発明の詳細な説明】
【技術分野】
【０００１】
本発明は、電子機器の操作ボタン構造に係り、特に、主にモバイル機器などの電子機器に用いられ、基板上に配置されたスイッチ素子に対向配置して機能する電子機器の操作ボタン構造に関する。
【背景技術】
【０００２】
従来、電子機器の操作ボタン構造は、機器の動作目的やスイッチの機能・操作性等から種々の構造が存在するが、基板上のタクトスイッチ（スイッチ素子）に操作ボタンを対向配置したものが一般的に良く知られている。
【０００３】
この操作ボタン構造３１０は、例えば、図７，図８に示すように、操作装置３０１内部に構成されており、主に操作ボタン３０６、操作パネル３０２、操作基板３０７、タクトスイッチ３０８、静電気アース板３０９から構成されている。
【０００４】
操作ボタン３０６は、主にキートップ３０６ａ、打鍵部３０６ｂ、アーム３０６ｃ、取付部３０６ｄから構成されている。
【０００５】
操作ボタン３０６の一般的な取付方法として、例えば、機器の操作パネル３０２の内壁に形成されたピン３０２ａと操作ボタンの取付部３０６ｄとを圧入固定したり、操作ボタン３０６の取付部３０６ｄを操作パネル３０２のピン３０２ａに嵌入し溶着固定する方法などがある。
【０００６】
また、操作ボタン３０６を取付ける場合は、その機能上、操作パネル３０２に設けたボタン用孔３２１とキートップ３０６ａとの間に隙間３０２ｂを設けているが、この隙間３０２ｂから機器内部への静電気放電が起こり得るため、対策として金属板又は金属箔の静電気アース板３０９を配置し操作基板３０７のグランドに接続する構造が採用されている。
【０００７】
この操作ボタン３０６は、樹脂成形で一体化が容易なため、複数個の操作ボタン３０６を一体的に成形することで、部品単価の低減や取扱い上の効率を向上させるという効果がある（特許文献１を参照）。
【特許文献１】特開２０００−２１５７５４号公報
【発明の開示】
【発明が解決しようとする課題】
【０００８】
しかしながら、複数個の操作ボタンを一体化して構成すると、機器の小型化を追求する上ではアーム３０６ｃや取付部３０６ｄの必要肉厚や静電気対策用アース板配置等により薄型化の障害になっている。
【０００９】
また、複数個の操作ボタンを一体成形することにより、金型規模が大きくなり投資が増大すると共に、生産や修理時は部分的なボタン不良であっても全ボタンが交換になるなどの課題がある。
【００１０】
本発明は、上記従来の問題点を鑑みてなされたものであって、複雑な金型等を用いること無く簡単な構成で操作ボタンを構成して、低コスト化と生産性の向上を図り、さらに、装置構造の薄型化を図ることで、電子機器の小型化や省資源化を実現できる電子機器の操作ボタン構造を提供することを目的とするものである。
【課題を解決するための手段】
【００１１】
上述した課題を解決するための本発明に係る電子機器の操作ボタンの構成は、次の通りである。
請求項１に記載した電子機器の操作ボタン構造は、回路基板上に配置された複数のスイッチ素子に対向して各々操作ボタンを配置してボタン操作を行う電子機器の操作ボタン構造において、前記スイッチ素子と操作ボタンとの間に可撓性部材を配置し、前記可撓性部材は、前記操作ボタンを所定のスイッチ素子に対応して位置決めする操作ボタン位置決め機能と、ボタン操作による前記操作ボタンの変位を弾性力により復元する操作ボタン復元機能とを備えていることを特徴とするものである。
【００１２】
請求項２に記載した電子機器の操作ボタン構造は、請求項１に記載した構成に加えて、前記可撓性部材に、前記操作ボタン位置決め機能として、前記スイッチ素子と操作ボタンとが対向する位置に該操作ボタンが嵌め合わされる操作ボタン嵌合部を形成したことを特徴とするものである。
【００１３】
請求項３に記載した電子機器の操作ボタン構造は、請求項２に記載した構成に加えて、前記操作ボタン嵌合部を、前記操作ボタン嵌合部と対応する前記操作ボタンの嵌合部の形状と同一形状で形成したことを特徴とするものである。
【００１４】
前記操作ボタン嵌合部と該操作ボタン嵌合部と対応する操作ボタンの嵌合部の形状は、例えば、円形状や多角形状を呈するものであっても良い。
【００１５】
請求項４に記載した電子機器の操作ボタン構造は、請求項２または３に記載した構成に加えて、前記操作ボタン嵌合部と前記操作ボタンとを、着脱可能に嵌合するようにしたことを特徴とするものである。
【００１６】
請求項５に記載した電子機器の操作ボタン構造は、請求項２，３または４に記載した構成に加えて、前記操作ボタン嵌合部を、それぞれの操作ボタンに対応して複数箇所に設けたことを特徴とするものである。
【００１７】
請求項６に記載した電子機器の操作ボタン構造は、請求項１乃至５のうちの何れか一項に記載前記した構成に加えて、前記可撓性部材を、例えば、導電性を有する金属部材等のように、ボタン操作時に発生する静電気をアースさせる機能を備えたものとしたことを特徴とするものである。
【００１８】
請求項７に記載した電子機器の操作ボタン構造は、請求項１乃至５のうちの何れか一項に記載前記した構成に加えて、前記可撓性部材を、例えば、電気的絶縁性を有する合成樹脂部材等のように、ボタン操作時に発生する静電気を遮断する機能を備えたものとしたことを特徴とするものである。
【発明の効果】
【００１９】
請求項１に記載した発明によれば、回路基板上に配置された複数のスイッチ素子に対向して各々操作ボタンを配置してボタン操作を行う電子機器の操作ボタン構造において、前記スイッチ素子と操作ボタンとの間に可撓性部材を配置し、前記可撓性部材に、前記操作ボタンを所定のスイッチ素子に対応して位置決めする操作ボタン位置決め機能を備えたことで、簡単な構成で操作ボタンの位置決め・保持することができ、さらに、ボタン操作による前記操作ボタンの変位を弾性力により復元する操作ボタン復元機能とを備えたことで、容易に操作時のストローク動作にばね力を付与できるので、複雑な金型等を用いること無く簡単な構成で操作ボタンを構成して、操作ボタン構造の低コスト化と生産性の向上を図り、装置構造の薄型化を図ることで、電子機器の小型化や省資源化を実現できるという格別な効果を奏し得る。
【００２０】
また、本発明によれば、複数の操作ボタンを一体化して構成しないため、複雑な金型等を用いる必要がないので金型投資を削減でき、また、同形状の操作ボタンで色調、印刷、取付け方向等が異なるものを作製できるので、操作ボタンの使用の展開を拡大することができる。
【００２１】
また、請求項２〜７に記載の発明によれば、請求項１に記載の発明で得られる上記共通の効果に加え、次の効果を得ることができる。
【００２２】
すなわち、請求項２に記載した発明によれば、前記可撓性部材に、前記操作ボタン位置決め機能として、前記スイッチ素子と操作ボタンとが対向する位置に該操作ボタンが嵌め合わされる操作ボタン嵌合部を形成したことで、簡単に前記スイッチ素子と操作ボタンとの位置決め及び操作ボタンの取付けを行うことができる。これにより、組立の機械化が容易になる。また、スイッチ素子と操作ボタンとを１対１で構成されるので、部品不良対応が該当品のみ対象となるため、部品費、労務費共に低減させることができる。
【００２３】
請求項３に記載した発明によれば、前記操作ボタン嵌合部を、前記操作ボタン嵌合部と対応する前記操作ボタンの嵌合部の形状と同一形状で形成したことで、その形状に合わせて操作ボタンを嵌合することで、使用する操作ボタンを組合せたり操作ボタンの取付け方向を指定したりすることが出来る。
【００２４】
請求項４に記載した発明によれば、前記操作ボタン嵌合部と前記操作ボタンとを、着脱可能に嵌合するようにしたことで、簡単に前記操作ボタンを操作ボタン嵌合部に位置決め、取付けできるので、機器生産時の組立工程における生産性、作業性の向上を図るとともに、容易に操作ボタン嵌合部から前記操作ボタンを取外すことができるので、部品交換等のメンテナンス性や廃棄時の分解性の向上を図り、リサイクルを考慮した構造を実現できるという効果を有する。
【００２５】
請求項５に記載した発明によれば、前記操作ボタン嵌合部を、それぞれの操作ボタンに対応して複数箇所に設けたことで、前記操作ボタン嵌合部に操作ボタンを選択的に取付けることができるので、複数種類の取付け形態を可能にできる。
【００２６】
請求項６に記載した発明によれば、前記可撓性部材を、例えば、導電性を有する金属部材等のように、ボタン操作時に発生する静電気をアースさせる機能を備えたものとしたことで、別途にアース板等を設けること無く簡単に除電することができる。
【００２７】
請求項７に記載した発明によれば、前記可撓性部材を、例えば、電気的絶縁性を有する合成樹脂部材等のように、ボタン操作時に発生する静電気を遮断する機能を備えたものとしたことで、静電気による回路の誤動作や破壊を防止することができる。
【発明を実施するための最良の形態】
【００２８】
以下、本発明の実施の形態について図面を参照して詳細に説明する。
図１〜４は本発明を実施する形態の一例であって、図１は本発明の第１実施形態に係る電子機器の操作ボタン構造が採用された操作装置の全体の構成を示す操作側からの平面図、図２は前記操作ボタン構造の構成を示す図１のＡ−Ａ断面を含む前記操作装置の全体の構成を示す側面図、図３は前記操作ボタン構造を構成するボタン取付プレートの構成を示す平面図、図４は図３のＢ矢視図である。
【００２９】
本実施形態に係る電子機器の操作装置１は、図１，図２に示すように、外観上で主に操作パネル２、表示部３、裏ケース４、スイッチ部５及び操作ボタン６を備え、操作パネル２内部に本発明に係る操作ボタン構造１０が構成されたものである。
【００３０】
この操作装置１は、主に操作側に設けられた操作パネル２及び表示部３と、反操作側に設けられた裏ケース４とによって平面視で略矩形状を呈し、側面視で装置厚さＨを薄くした略箱形状で形成されており、操作パネル２の略中央部にスイッチ部５が設けられ、該操作パネル２表面上に複数の操作ボタン６が突出配置されている。
【００３１】
操作パネル２には、操作ボタン６が配設される操作ボタン用孔２１が形成され、該操作パネル２の内側には、操作ボタン構造１０を構成する操作基板（回路基板）７を取付けるための取付ボス２２が突設されている。
【００３２】
ここで、本実施形態に係る操作ボタン構造１０の構成について図面を参照して詳細に説明する。
操作ボタン構造１０は、図２に示すように、主に操作ボタン６、操作基板（回路基板）７、タクトスイッチ（スイッチ素子）８及びボタン取付プレート（可撓性部材）９により構成され、操作基板７上に配置された複数のタクトスイッチ８に対向して配設された操作ボタン６より操作を行うようにしたものである。
【００３３】
操作ボタン６は、図１，図２に示すように、電子機器の操作に必要な個数（本実施形態では４個）が操作パネル２の操作ボタン用孔２１からキートップ６１を突出させた状態で設けられ、ボタン取付プレート９を介して操作基板７上に配置された所定のタクトスイッチ８に対向して配置されている。この操作ボタン６のボタン取付プレート９側の端部には、タクトスイッチ８に当接する打鍵部６２が突設されている。
【００３４】
ボタン取付プレート９は、図２に示すように、タクトスイッチ８と操作ボタン６との間に配置され、操作ボタン６を所定のタクトスイッチ８に対応して位置決めする操作ボタン位置決め機能と、ボタン操作による操作ボタン６の変位を弾性力により復元する操作ボタン復元機能とを備えたものである。
【００３５】
具体的には、ボタン取付プレート９は、導電性の金属部材で形成されており、図３に示すように、平面視で略矩形状を呈し、中央部にはスイッチ部５との干渉を回避するように円形状の開口部９１が形成され、該開口部９１を挟んだ両側に、操作ボタン位置決め機能としてタクトスイッチ８と操作ボタン６とが対向する位置に該操作ボタン６を取付けるためのボタン取付部９２が複数の操作ボタン６に対応して形成されている。
【００３６】
また、ボタン取付プレート９の四隅には、該ボタン取付プレート９を取付けるために操作パネル２内側に突設された４箇所のプレート取付ピン２３に対応して操作パネル取付孔９３が形成されている。
【００３７】
開口部９１付近には、操作基板７のグランド（図示省略）に接続されるアース切片９１ａが２箇所に突設されている。
【００３８】
ボタン取付部９２は、ボタン取付プレート９内で一部が連結した状態で、その一部を除きスリット９４により略Ｔ字形状に包囲されてくり抜かれた状態で形成されている。
【００３９】
ボタン取付部９２のスリット９４に囲まれた部分には、操作ボタン６が嵌め合わされるボタン取付孔（操作ボタン嵌合部）９５が形成され、該ボタン取付孔９５を挟んで反操作ボタン取付側に突出した突起部９６が２箇所に形成されている。
【００４０】
ボタン取付孔９５は、ボタン取付プレート９が操作パネル２に取付けられた状態でタクトスイッチ８と対向する位置に、操作ボタン側の嵌合部と同一形状で開口形成されている。このボタン取付孔９５に操作ボタン６の打鍵部６２を嵌入することで該操作ボタン６が着脱可能に取付けられる。
【００４１】
突起部９６は、反操作ボタン取付側に所定量突出形成され、操作ボタン６に強い押圧力が加えられた場合に、打鍵部６２がタクトスイッチ８に当接するとともに、図２，図３に示すように、該突起部９６がタクトスイッチ８を跨いだ位置で操作基板７に当接するようになっている。
【００４２】
すなわち、突起部９６は、打鍵部６２がタクトスイッチ８を過剰に押圧しないようにストッパの機能を有することで、タクトスイッチ８を故障や破壊から保護するとともに、ボタン操作の安定性を図ることができる。
【００４３】
次に、本実施形態に係る操作ボタン構造１０の作用について説明する。
まず、操作ボタン構造１０を組立てる場合は、図２に示すように、ボタン取付プレート９のボタン取付孔９５に操作ボタン６の打鍵部６２を嵌め込んで、操作ボタン６をボタン取付プレート９に取付ける。
【００４４】
次に、操作パネル２のプレート取付ピン２３にボタン取付プレート９の操作パネル取付孔９３を嵌め込んで、ボタン取付プレート９を操作パネル２に取付ける。この時、ボタン取付プレート９上の操作ボタン６のキートップ６１は、操作パネル２の操作ボタン用孔２１から所定量突出した状態となっている。
【００４５】
そして、そのボタン取付プレート９をタクトスイッチ８が実装された操作基板７と操作パネル２とで挟み込むように、該操作基板７を操作パネル２の取付ボス２２に固定する。
以上により操作ボタン構造１０が操作装置１に組込まれる。
【００４６】
次に、本実施形態に係る操作ボタン構造１０によるボタン操作について説明する。
操作ボタン６を押圧すると、その押圧力Ｐによりボタン取付プレート９のボタン取付部９２が押し込まれて変形する。これにより、操作ボタン６の打鍵部６２がタクトスイッチ８と当接して該タクトスイッチ８が作動する。
【００４７】
一方、操作ボタン６の押圧力Ｐが解除されると、ボタン取付部９２は、その構成部材の弾性力により変形状態から操作前の状態に戻される。すなわち、ボタン取付部９２は、その変形量に応じた弾性力により、変形する前の状態に戻すためのバネ部材として機能している。
【００４８】
操作ボタン６を動作させるために必要な押圧力Ｐは、タクトスイッチ８の作動力とボタン取付プレート９を所定量変形させる際の応力の和になるが、本実施形態によれば、ボタン取付部９２付近にスリット９４を設けることで、ボタン取付部９２の変形にともなう定量的な押圧力を容易に得ることできるので、ボタン操作の感触をより軽快にすることができる。
【００４９】
以上のように構成したので、本実施形態によれば、操作ボタン構造１０を、板状で形成したボタン取付プレート９に複数のボタン取付部９２を一体的に形成し、該ボタン取付部９２に対応して別体で形成した操作ボタン６を各々取付けるようにしたので、操作ボタン６の構成を簡単にすることができる。
【００５０】
すなわち、本実施形態によれば、複雑な金型等を用いること無く簡単に操作ボタン６を構成でき、しかも、簡単な部品構成により容易に操作ボタン構造を構成できるので、生産コストの低減化と生産性の向上を図ることができる。
【００５１】
また、本実施形態によれば、操作ボタン６とタクトスイッチ８との間に薄い板状のボタン取付プレート９を配置するとういう簡単な構成したので、操作装置１の薄型化を図ることができ、電子機器の小型化や省資源化を実現できる。
【００５２】
さらに、本実施形態によれば、ボタン取付プレート９を導電性で且つ弾性を有する金属部材を用いて形成し、そのボタン取付プレート９にアース切片９１ａを設けて、該アース切片９１ａを操作基板７のグランドに接続しているので、操作ボタン６の操作を行う際に、操作パネル２の操作ボタン用孔２１と操作ボタン６のキートップ６１との間に形成される隙間２４からボタン操作を行うユーザの人体からの静電気放電が生じても、回路素子の誤動作や破損が生じることを防止できる。
【００５３】
尚、本実施形態では、ボタン取付プレート９に、上述したように導電性で且つ弾性を有する金属部材を用いているが、本発明はこれに限定されるものではなく、例えば、ボタン取付プレートを形成する部材として、導電性樹脂や非導電性樹脂を使用することも可能である。
【００５４】
例えば、操作ボタン６を操作する時に生じる静電気をグランドに落とすことを目的とする場合は、ボタン取付プレートに導電性樹脂を採用し、静電気を遮断することを目的とする場合は、ボタン取付プレートに絶縁耐圧が必要十分な非導電性樹脂を採用することが好ましい。
【００５５】
尚、ボタン取付プレート９に非導電性の樹脂薄板を使用する場合は、必要十分な絶縁耐圧材料を選択し、併せて規定電圧で放電が発生する範囲内に取付孔やその他の開口部等を設けないことが好ましい。
【００５６】
次に、本発明の第２実施形態について図面を参照して詳細に説明する。
図５，図６は本発明の第２実施形態に係る操作ボタン構造を構成するボタン取付プレートの一例であって、図５は本発明の第２実施形態に係る電子機器の操作ボタン構造を構成するボタン取付プレートの構成を示す部分平面図、図６は図５のＣ矢視図である。
【００５７】
第２実施形態のボタン取付プレート１０９は、図５，図６に示すように、前述した実施形態に係るボタン取付プレート９に相当するものであり、該ボタン取付プレート１０９に取付部の嵌合形状の異なる操作ボタン１０６ａ，１０６ｂを装着可能に構成したものである。
【００５８】
尚、このボタン取付プレート１０９は、前述した実施形態に係る操作ボタン構造１０と略同様な構成要素を有する操作ボタン構造（図示省略）に採用されるものであって、同様な機能を有する構成要素については同一の符号を付すことで説明を省略するものとする。
【００５９】
以下、具体的に説明すると、ボタン取付プレート１０９は、前述した実施形態のボタン取付プレート９と同様に導電性の金属部材で形成されており、図５に示すように、平面視で略矩形状を呈し、中央部にはスイッチ部５との干渉を回避するように円形状の開口部１９１が形成され、該開口部１９１を挟んだ両側に、操作ボタン位置決め機能としてタクトスイッチ８と操作ボタン１０６ａ，１０６ｂとが対向する位置にそれぞれの操作ボタン１０６ａ，１０６ｂを取付けるためのボタン取付部１９２ａ，１９２ｂとが形成されている。
【００６０】
操作ボタン１０６ａ，１０６ｂは、操作側にはそれぞれ同一形状のキートップ１６１ａ，１６１ｂが形成され、また、他端側にはそれぞれの操作ボタン１０６ａ，１０６ｂの目的に合わせて形状の異なる打鍵部１６２ａ，１６２ｂが形成されている。本実施形態では、図５において平面視で、打鍵部１６２ａの嵌合部の形状が円形状に、また、打鍵部１６２ｂの嵌合部の形状が略矩形状に形成されている。
【００６１】
ボタン取付部１９２ａ，１９２ｂには、ボタン取付プレート１０９が操作パネル２に取付けられた状態でタクトスイッチ８と対向する位置に、それぞれの操作ボタン１０６ａ、１０６ｂ側の嵌合部の形状と同一の形状のボタン取付孔１９５ａ，１９５ｂが形成されている。すなわち、ボタン取付孔１９５ａは円形状に、ボタン取付孔１９５ｂは略矩形状に開口形成されている。
【００６２】
このボタン取付孔１９５ａ、１９６ｂにそれぞれ操作ボタン１０６ａ，１０６ｂの打鍵部１６２ａ，１６２ｂを嵌入することで、該操作ボタン１０６ａ，１０６ｂが着脱可能に取付けられる。
【００６３】
図中の符号について、１９１ａはアース切片、１９３は操作パネル取付孔、１９４はスリット、１９６は突起部を示すものである。
【００６４】
以上のように構成したので、第２実施形態によれば、それぞれが同形状のキートップ１６１ａ，１６１ｂを持つ操作ボタン１０６ａ，１０６ｂのように、色調、印刷、その他の違いで多品種に渡り展開されても、それぞれの操作ボタン１０６ａ，１０６ｂの打鍵部１６２ａ，１６２ｂの嵌合部の形状とボタン取付プレート１０９のボタン取付部１９２ａ，１９２ｂのボタン取付孔１９５ａ，１９５ｂの形状とを合致させて組立てることにより、複数の操作ボタンの組合せや取付方向を指定することが可能になる。すなわち、操作ボタンの誤った取付けを防止することができる。
【００６５】
次に、本発明の第３実施形態について図面を参照して説明する。
第３実施形態のボタン取付プレート２０９は、図５に示すように、前述した第２実施形態に係るボタン取付プレート１０９と略同様な構成に加えて、ボタン取付部２９２ａ，２９２ｂに操作ボタン１０６ａ，１０６ｂをそれぞれ取付けた状態で、ボタン取付孔２９５ａ，２９５ｂと打鍵部１６２ａ，１６２ｂのそれぞれの根元に形成された嵌合部との間に、着脱が容易なように適切な間隙２９６ａ，２９６ｂが形成されるようにしたことを特徴とするものである。
【００６６】
それぞれの間隙２９６ａ，２９６ｂは、操作ボタン１０６ａ，１０６ｂのキートップ１６１ａ，１６１ｂと操作パネル２の操作ボタン用孔２１，２１とで形成される間隙より小さく形成されて、キートップ１６１ａ，１６１ｂの側端縁が操作ボタン用孔２１の側面（開口面）に干渉しないようにされている。
【００６７】
以上のように構成したので、第３実施形態によれば、操作ボタン１０６ａ，１０６ｂはボタン取付プレート２０９に圧入状態で嵌合されることなく、緩い嵌め合いで装着することができるので、生産時の組付け作業や修理時の分解作業における作業性を著しく向上させ、労務時間削減やリサイクル作業における分別作業の高効率化を図ることができる。
【００６８】
尚、上述した第１〜３実施形態では、ボタン取付プレート９，１０９，２０９にスリット９４，１９４を形成して略Ｔ字形状にボタン取付部９２，１９２ａ，１９２ｂ，２９２ａ，２９２ｂを構成することで、操作ボタン６，１０６ａ，１０６ｂの変位及び復元の動作を可能にしているが、本発明は、操作ボタンを変位及び復元を可能に成し得る可撓性を有する部材であれば、これらの構成や形状に限定されるものではなく、如何様にも展開が可能である。
【図面の簡単な説明】
【００６９】
【図１】本発明の第１実施形態に係る電子機器の操作ボタン構造が採用された操作装置の全体の構成を示す操作側からの平面図である。
【図２】前記操作ボタン構造の構成を示す図１のＡ−Ａ断面を含む前記操作装置の全体の構成を示す側面図である。
【図３】前記操作ボタン構造を構成するボタン取付プレートの構成を示す平面図である。
【図４】図３のＢ矢視図である。
【図５】本発明の第２実施形態に係る電子機器の操作ボタン構造を構成するボタン取付プレートの構成を示す部分平面図である。
【図６】図５のＣ矢視図である。
【図７】従来の電子機器の操作ボタン構造を備えた操作装置の全体の構成を示す操作側からの平面図である。
【図８】前記操作ボタン構造の構成を示す図７のＤ−Ｄ断面を含む前記操作装置の全体の構成を示す側面図である。
【符号の説明】
【００７０】
１  操作装置
２  操作パネル
５  スイッチ部
６，１０６ａ，１０６ｂ  操作ボタン
７  操作基板（回路基板）
８  タクトスイッチ（スイッチ素子）
９，１０９，２０９  ボタン取付プレート（可撓性部材）
１０  操作ボタン構造
２４，２９６ａ，２９６ｂ  間隙
９１ａ  アース切片
９２，１９２ａ，１９２ｂ，２９２ａ，２９２ｂ  ボタン取付部
９４，１９４  スリット
９５，１９５ａ，１９５ｂ，２９５ａ，２９５ｂ  ボタン取付孔（操作ボタン嵌合部）
９６  突起部
Ｐ  押圧力
【図１】
2007012307.tif 000003
【図２】
2007012307.tif 000004
【図３】
2007012307.tif 000005
【図４】
2007012307.tif 000006
【図５】
2007012307.tif 000007
【図６】
2007012307.tif 000008
【図７】
2007012307.tif 000009
【図８】
2007012307.tif 000010